(57)【特許請求の範囲】
【請求項１】
基地局（ＢＳ）によるワイヤレス通信のための方法であって、
チャネルが送信されるべき無線フレームのサブフレームを指示する再送パターンを決定することと、ここにおいて、前記決定は、前記無線フレームのために使用するにあたってサブフレーム構成に少なくとも部分的に基づき、前記サブフレーム構成は、前記無線フレームの前記サブフレームのアップリンクまたはダウンリンク・サブフレームの方向のうちの少なくとも１つを指示する、
前記決定された再送パターンにしたがって前記チャネルを送信することと、
前記決定された再送パターンにしたがって前記チャネルの周りで１つまたは複数の他のチャネルをレート・マッチングすることと、
を備える方法。
【請求項２】
時分割複信（ＴＤＤ）サブフレーム構成とは異なる再送パターンが周波数分割複信（ＦＤＤ）サブフレーム構成のために決定される、請求項１に記載の方法。
【請求項３】
ＦＤＤサブフレーム構成に関しては、前記再送パターンは、ページングのために使用される１つまたは複数のサブフレームを備える、請求項２に記載の方法。
【請求項４】
ＦＤＤサブフレーム構成に関しては、前記再送パターンは、前記無線フレームの第５のサブフレームを備え、ＴＤＤサブフレーム構成に関しては、前記再送パターンは、前記無線フレームの第９のサブフレームを備える、請求項２に記載の方法。
【請求項５】
ＴＤＤサブフレーム構成およびＦＤＤサブフレーム構成に関わる再送パターンは、少なくとも１つの共通のサブフレームを共有する、請求項２に記載の方法。
【請求項６】
前記決定は、動作帯域幅に、少なくとも部分的に、基づき、特定のサブフレーム構成に関しては、前記チャネルを繰り返すために使用されるサブフレームは、特定の動作帯域幅に関してのみ前記再送パターンに含まれる、請求項１に記載の方法。
【請求項７】
前記チャネルは、物理ブロードキャスト・チャネルを備える、請求項１に記載の方法。
【請求項８】
前記決定された再送パターンにしたがって前記チャネルを送信するときに１つまたは複数の他のチャネルをパンクチャすることをさらに備える、請求項１に記載の方法。
【請求項９】
前記チャネルが前記決定された再送パターンにしたがって送信されるべきことを指示するシグナリングを送信することをさらに備える、請求項１に記載の方法。
【請求項１０】
前記チャネルは、物理ブロードキャスト・チャネル（ＰＢＣＨ）を備え、
前記シグナリングは、システム情報ブロック（ＳＩＢ）送信を介して提供される、請求項９に記載の方法。
【請求項１１】
前記決定された再送パターンにしたがって前記チャネルを送信するときに１つまたは複数の他のチャネルをパンクチャすることをさらに備える、請求項９に記載の方法。
【請求項１２】
前記１つまたは複数の他のチャネルは、前記決定された再送パターンにしたがって前記チャネルの送信をサポートしないレガシ・デバイスによって復号可能であるチャネルを備える、または、
前記１つまたは複数の他のチャネルは、前記決定された再送パターンにしたがって前記チャネルの前記送信を認識しないデバイスによって復号可能であるチャネルを備える、
のうちの少なくとも１つである、請求項１１に記載の方法。
【請求項１３】
前記１つまたは複数の他のチャネルは、前記決定された再送パターンにしたがって前記チャネルの前記送信を認識するデバイスによって復号可能であるチャネルを備える、請求項９に記載の方法。
【請求項１４】
ユーザ機器（ＵＥ）によるワイヤレス通信のための方法であって、
チャネルが送信されるべき無線フレームのサブフレームを指示する再送パターンを決定することと、ここにおいて、前記決定は、前記無線フレームのために使用するにあたってサブフレーム構成に少なくとも部分的に基づき、前記サブフレーム構成は、前記無線フレームの前記サブフレームのアップリンクまたはダウンリンク・サブフレームの方向のうちの少なくとも１つを指示する、
前記決定された再送パターンにしたがって前記チャネルの送信をモニタすることと、
前記決定された再送パターンにしたがって前記チャネルの送信をモニタするときに１つまたは複数の他のチャネルに基づいてレート・マッチングを実施することと、
を備える方法。
【請求項１５】
時分割複信（ＴＤＤ）サブフレーム構成とは異なる再送パターンが周波数分割複信（ＦＤＤ）サブフレーム構成に関して決定される、請求項１４に記載の方法。
【請求項１６】
ＦＤＤサブフレーム構成に関しては、前記再送パターンは、ページングのために使用される１つまたは複数のサブフレームを備える、請求項１５に記載の方法。
【請求項１７】
ＦＤＤサブフレーム構成に関しては、前記再送パターンは、前記無線フレームの第５のサブフレームを備え、ＴＤＤサブフレーム構成に関しては、前記再送パターンは、前記無線フレームの第９のサブフレームを備える、請求項１５に記載の方法。
【請求項１８】
ＴＤＤサブフレーム構成およびＦＤＤサブフレーム構成に関わる再送パターンは、少なくとも１つの共通のサブフレームを共有する、請求項１５に記載の方法。
【請求項１９】
前記決定は、動作帯域幅に、少なくとも部分的に、基づき、特定のサブフレーム構成に関しては、前記チャネルを繰り返すために使用されるサブフレームは、特定の動作帯域幅にのみ関わる前記再送パターンに含まれる、請求項１４に記載の方法。
【請求項２０】
前記決定は、前記再送パターンの事前の認識なしで前記チャネルの繰り返される送信の検出に基づく、請求項１４に記載の方法。
【請求項２１】
前記１つまたは複数の他のチャネルは、前記決定された再送パターンにしたがって前記チャネルの送信をサポートしないレガシ・デバイスによって復号可能であるチャネルを備える、請求項１４に記載の方法。
【請求項２２】
前記決定は、前記チャネルが前記決定された再送パターンにしたがって送信されるべきことを指示する受信されたシグナリングに基づく、請求項１４に記載の方法。
【請求項２３】
前記チャネルは、物理ブロードキャスト・チャネル（ＰＢＣＨ）を備え、
前記シグナリングは、システム情報ブロック（ＳＩＢ）送信を介して提供される、請求項２２に記載の方法。
【請求項２４】
前記決定された再送パターンにしたがって前記チャネルをモニタするときに１つまたは複数の他のチャネルに基づいてレート・マッチングを実施することをさらに備える、請求項２２に記載の方法。
【請求項２５】
前記１つまたは複数の他のチャネルは、前記決定された再送パターンにしたがって前記繰り返されるチャネルの前記送信を認識しないデバイスによって復号可能であるチャネルを備える、請求項２４に記載の方法。
【請求項２６】
前記決定された再送パターンにしたがって前記チャネルの周りで１つまたは複数の他のチャネルをレート・マッチングすることをさらに備え、前記１つまたは複数の他のチャネルは、前記決定された再送パターンにしたがって前記チャネルの前記送信を認識するデバイスによって復号可能であるチャネルを備える、請求項２２に記載の方法。
【請求項２７】
基地局（ＢＳ）によるワイヤレス通信のための装置であって、
チャネルが送信されるべき無線フレームのサブフレームを指示する再送パターンを決定することと、ここにおいて、前記決定は、前記無線フレームのために使用するにあたってサブフレーム構成に少なくとも部分的に基づき、前記サブフレーム構成は、前記無線フレームの前記サブフレームのアップリンクまたはダウンリンク・サブフレームの方向のうちの少なくとも１つを指示する、
前記決定された再送パターンにしたがって前記チャネルを送信することと、
前記決定された再送パターンにしたがって前記チャネルの周りで１つまたは複数の他のチャネルをレート・マッチングすることと、
を行うように構成されている、少なくとも１つのプロセッサと、
前記少なくとも１つのプロセッサと結合されたメモリと、
を備える、装置。
【請求項２８】
ユーザ機器（ＵＥ）によるワイヤレス通信のための装置であって、
チャネルが送信されるべき無線フレームのサブフレームを指示する再送パターンを決定することと、ここにおいて、前記決定は、前記無線フレームのために使用するにあたってサブフレーム構成に少なくとも部分的に基づき、前記サブフレーム構成は、前記無線フレームの前記サブフレームのアップリンクまたはダウンリンク・サブフレームの方向のうちの少なくとも１つを指示する、
前記決定された再送パターンにしたがって前記チャネルの送信をモニタすることと、
前記決定された再送パターンにしたがって前記チャネルの送信をモニタするときに１つまたは複数の他のチャネルに基づいてレート・マッチングを実施することと、
を行うように構成されている、少なくとも１つのプロセッサと、
前記少なくとも１つのプロセッサと結合されたメモリと、
を備える、装置。
【発明の詳細な説明】
【米国特許法第１１９条に基づく優先権の主張】
【０００１】
[0001]  本出願は、２０１５年５月１４日出願の米国仮特許出願第６２／１６１，７５１号、および２０１６年３月２５日出願の米国特許出願第１５／０８１，６３３号の利益を主張するものであり、その両方が全体において参照によって本書に組み込まれる。
【技術分野】
【０００２】
[0002]  本開示の特定の態様は、概して、ワイヤレス通信に関し、より具体的には、エンハンスド・マシン・タイプの通信（ｅＭＴＣ：enhanced machine type communication）のための物理ブロードキャスト・チャネル（ＰＢＣＨ）または他のタイプのチャネルの再送に関する。
【背景技術】
【０００３】
[0003]  ワイヤレス通信システムは、音声、データなどのようなさまざまなタイプの通信コンテンツを提供するために広く展開されている。これらのシステムは、利用可能なシステム・リソース（例えば、帯域幅および送信電力）を共有することによって複数のユーザとの通信をサポートすることが可能である多元接続システムであり得る。そのような多元接続システムの例は、符号分割多元接続（ＣＤＭＡ）システム、時分割多元接続（ＴＤＭＡ）システム、周波数分割多元接続（ＦＤＭＡ）システム、ロング・ターム・エボリューション（ＬＴＥ（登録商標））アドバンスド・システムを含む第３世代パートナーシップ・プロジェクト（３ＧＰＰ（登録商標））ＬＴＥ、および直交周波数分割多元接続（ＯＦＤＭＡ）システムを含む。
【０００４】
[0004]  一般的に、ワイヤレス多元接続通信システムは、多数のワイヤレス端末のための通信を同時にサポートすることができる。各端末は、順方向および逆方向リンク上における送信を介して１つまたは複数の基地局と通信する。順方向リンク（すなわちダウンリンク）は、基地局から端末までの通信リンクを指し、逆方向リンク（すなわちアップリンク）は、端末から基地局までの通信リンクを指す。この通信リンクは、単一入力単一出力、多入力単一出力、または多入力多出力（ＭＩＭＯ）システムによって確立され得る。
【発明の概要】
【０００５】
[0005]  本開示のシステム、方法、およびデバイスは各々、いくつかの態様を有し、これらのうちのいずれも、その望ましい属性を単独で担うものではない。後続する特許請求の範囲によって表される本開示の範囲を限定することなしに、ここでいくつかの特徴が簡潔に論述される。本論述を考慮した後、特に「詳細な説明」と題されたセクションを読んだ後、当業者は、本開示の特徴がワイヤレス・ネットワークにおけるアクセス・ポイントと局との間での改良された通信を含む利点をどのように提供するかを理解するであろう。
【０００６】
[0006]  本開示の態様は、基地局（ＢＳ）によるワイヤレス通信のための方法を提供する。方法は、概して、チャネルが送信されるべき無線フレームのサブフレームを指示する再送パターンを決定することと、決定された再送パターンにしたがってチャネルを送信することと、を含む。
【０００７】
[0007]  本開示の態様は、基地局（ＢＳ）によるワイヤレス通信のための装置を提供する。装置は、概して、チャネルが送信されるべき無線フレームのサブフレームを指示する再送パターンを決定することと、決定された再送パターンにしたがってチャネルを送信することと、を行うように構成されている少なくとも１つのプロセッサを含む。装置はまた、少なくとも１つのプロセッサに結合されたメモリを含む。
【０００８】
[0008]  本開示の態様は、基地局（ＢＳ）によるワイヤレス通信のための装置を提供する。装置は、概して、チャネルが送信されるべき無線フレームのサブフレームを指示する再送パターンを決定するための手段と、決定された再送パターンにしたがってチャネルを送信するための手段と、を含む。
【０００９】
[0009]  本開示の態様は、基地局（ＢＳ）によるワイヤレス通信のための非一時的なコンピュータ可読媒体を提供する。非一時的なコンピュータ可読媒体は、概して、チャネルが送信されるべき無線フレームのサブフレームを指示する再送パターンを決定することと、決定された再送パターンにしたがってチャネルを送信することと、を行うための命令を含む。
【００１０】
[0010]  本開示の態様は、ユーザ機器（ＵＥ）によるワイヤレス通信のための方法を提供する。方法は、概して、チャネルが送信されるべき無線フレームのサブフレームを指示する再送パターンを決定することと、決定された再送パターンにしたがってチャネルの送信をモニタすることと、を含む。
【００１１】
[0011]  本開示の態様は、ユーザ機器（ＵＥ）によるワイヤレス通信のための装置を提供する。装置は、概して、チャネルが送信されるべき無線フレームのサブフレームを指示する再送パターンを決定することと、決定された再送パターンにしたがってチャネルの送信をモニタすることと、を行うように構成されている少なくとも１つのプロセッサを含む。装置はまた、少なくとも１つのプロセッサに結合されたメモリを含む。
【００１２】
[0012]  本開示の態様は、ユーザ機器（ＵＥ）によるワイヤレス通信のための装置を提供する。装置は、概して、チャネルが送信されるべき無線フレームのサブフレームを指示する再送パターンを決定するための手段と、決定された再送パターンにしたがったチャネルの送信をモニタするための手段と、を含む。
【００１３】
[0013]  本開示の態様は、ユーザ機器（ＵＥ）によるワイヤレス通信のための非一時的なコンピュータ可読媒体を提供する。非一時的なコンピュータ可読媒体は、概して、チャネルが送信されるべき無線フレームのサブフレームを指示する再送パターンを決定することと、決定された再送パターンにしたがったチャネルの送信をモニタすることと、を行うための命令を含む。
【００１４】
[0014]  方法、装置、システム、コンピュータ・プログラム製品、および処理システムを含む、数多くの他の態様が提供される。
【００１５】
[0015]  本開示の上記された特徴が詳細に理解されることができるように、上記において簡潔に要約されたより詳細な説明が態様への参照によりなされ得、それらのうちのいくつかは、添付された図面内において例示される。しかしながら、添付された図面は、本開示の特定の典型的な態様のみを例示しており、したがって、その説明が他の同等に効果的な態様を認め得ることから、その範囲を限定していると考慮されるべきではないことに留意されたい。
【図面の簡単な説明】
【００１６】
【図１】[0016]  図１は、本開示の特定の態様にしたがった、例となるワイヤレス通信ネットワークを概念的に図示するブロック図である。
【図２】[0017]  図２は、本開示の特定の態様にしたがった、ワイヤレス通信ネットワーク内のユーザ機器（ＵＥ）と通信状態にある発展型ノードＢ（ｅＮＢ）の例を概念的に例示するブロック図である。
【図３】[0018]  図３は、本開示の特定の態様にしたがった、ワイヤレス通信ネットワークで用いるための特定の無線アクセス技術（ＲＡＴ）に関わる例となるフレーム構造を概念的に例示するブロック図である。
【図４】[0019]  図４は、本開示の特定の態様にしたがった、通常のサイクリック・プレフィクスを有する、ダウンリンクのための例となるサブフレーム・フォーマットを例示する。
【図５】[0020]  図５は、本開示の特定の態様にしたがった、例となるサブフレーム構成を例示する。
【図６】[0021]  図６は、本開示の特定の態様にしたがった、基地局に関わる例となる動作を例示する。
【図７】[0022]  図７は、本開示の特定の態様にしたがった、ユーザ機器に関わる例となる動作を例示する。
【図８】[0023]  図８は、本開示の特定の態様にしたがった、時分割複信（ＴＤＤ）に関わる例となるサブフレームの利用可能性を例示する。
【図９】[0024]  図９は、本開示の特定の態様にしたがった、周波数分割複信（ＦＤＤ）に関わる例となるサブフレームの利用可能性を例示する。
【図１０】[0025]  図１０は、本開示の特定の態様にしたがった、無線フレームの中央の６個のリソース・ブロックを例示する。
【図１１】[0026]  図１１は、本開示の特定の態様にしたがった、基地局に関わる例となる動作を例示する。
【図１２】[0027]  図１２は、本開示の特定の態様にしたがった、ユーザ機器に関わる例となる動作を例示する。
【発明を実施するための形態】
【００１７】
[0028]  本開示の態様は、特定のユーザ機器（例えば、低コスト、低データ・レートのＵＥ）のためにダウンリンク・カバレッジを強化するための技術および装置を提供する。例えば、本開示の態様は、物理ブロードキャスト・チャネル（ＰＢＣＨ）再送に関わる技術を提供する。
【００１８】
[0029]  本書において説明される技術は、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、シングル・キャリアＦＤＭＡ（ＳＣ−ＦＤＭＡ）ネットワークなどのようなさまざまなワイヤレス通信ネットワークのために使用され得る。「ネットワーク」および「システム」という用語は、しばしば互換的に使用される。ＣＤＭＡネットワークは、ユニバーサル地上無線アクセス（ＵＴＲＡ）、ｃｄｍａ２０００などのような無線技術をインプリメントし得る。ＵＴＲＡは、広帯域ＣＤＭＡ（Ｗ−ＣＤＭＡ（登録商標））、時分割同期ＣＤＭＡ（ＴＤ−ＳＣＤＭＡ）、およびＣＤＭＡの他の変形を含む。ｃｄｍａ２０００は、ＩＳ−２０００、ＩＳ−９５、およびＩＳ−８５６規格をカバーする。ＴＤＭＡネットワークは、モバイル通信のためのグローバル・システム（ＧＳＭ（登録商標））のような無線技術をインプリメントし得る。ＯＦＤＭＡネットワークは、発展型ＵＴＲＡ（Ｅ−ＵＴＲＡ）、ウルトラ・モバイル・ブロードバンド（ＵＭＢ）、ＩＥＥＥ８０２．１１（Ｗｉ−Ｆｉ）、ＩＥＥＥ８０２．１６（ＷｉＭＡＸ）、ＩＥＥＥ８０２．２０、Ｆｌａｓｈ−ＯＦＤＭ（登録商標）などのような無線技術をインプリメントし得る。ＵＴＲＡおよびＥ−ＵＴＲＡは、ユニバーサル・モバイル電気通信システム（ＵＭＴＳ）の一部である。周波数分割多重（ＦＤＤ）および時分割多重（ＴＤＤ）の両方における３ＧＰＰロング・ターム・エボリューション（ＬＴＥ）およびＬＴＥ−アドバンスト（ＬＴＥ−Ａ）は、ダウンリンクではＯＦＤＭＡを、アップリンクではＳＣ−ＦＤＭＡを適用する、Ｅ−ＵＴＲＡを使用するＵＭＴＳの新たなリリースである。ＵＴＲＡ、Ｅ−ＵＴＲＡ、ＵＭＴＳ、ＬＴＥ、ＬＴＥ−Ａ、およびＧＳＭは、「第３世代パートナーシップ・プロジェクト」（３ＧＰＰ）と称される団体からの文書に説明されている。ｃｄｍａ２０００およびＵＭＢは、「第３世代パートナーシップ・プロジェクト２」（３ＧＰＰ２）と称される団体からの文書に説明されている。本書において説明される技術は、上述されたワイヤレス・ネットワークおよび無線技術ならびに他のワイヤレス・ネットワークおよび無線技術に対して使用され得る。明瞭にするために、これらの技術の特定の態様は、以下ではＬＴＥ／ＬＴＥ−Ａについて説明されており、ＬＴＥ／ＬＴＥ−Ａ専門用語が下記説明の大部分で使用される。
【００１９】
例としてのワイヤレス通信システム
[0030]  図１は、本開示の技術および装置が適用され得るＬＴＥネットワークまたは他のワイヤレス・ネットワークであり得る、ワイヤレス通信ネットワーク１００を示す。ワイヤレス・ネットワーク１００は、複数の発展型ノードＢ（ｅＮＢ）１１０および他のネットワーク・エンティティを含み得る。ｅＮＢは、ユーザ機器（ＵＥ）と通信するエンティティであり、基地局、ノードＢ、アクセス・ポイント（ＡＰ）などとも呼ばれ得る。各ｅＮＢは、特定の地理的エリアのための通信カバレッジを提供し得る。３ＧＰＰにおいて、用語「セル」は、用語が使用される文脈によっては、このカバレッジ・エリアをサービスする（serving）ｅＮＢおよび／またはｅＮＢサブシステムのカバレッジ・エリアに言及することができる。
【００２０】
[0031]  ｅＮＢは、マクロ・セル、ピコ・セル、フェムト・セル、または他のタイプのセルに対して通信カバレッジを提供し得る。マクロ・セルは、比較的大きい地理的エリア（例えば、半径数キロメートル）をカバーし得、サービスに加入しているＵＥによる無制限のアクセスを可能にし得る。ピコ・セルは、比較的小さい地理的エリアをカバーし得、サービスに加入しているＵＥによる無制限のアクセスを可能にし得る。フェムト・セルは、比較的小さい地理的エリア（例えば、ホーム）をカバーし得、このフェムト・セルと関連性のあるＵＥ（例えば、クローズド加入者グループ（ＣＳＧ）のＵＥ）による制限付きアクセスを可能にし得る。マクロ・セルに関わるｅＮＢは、マクロｅＮＢと呼ばれ得る。ピコ・セルに対するｅＮＢは、ピコｅＮＢと呼ばれ得る。フェムト・セルに関わるｅＮＢは、フェムトｅＮＢまたはホームｅＮＢ（ＨｅＮＢ）と呼ばれ得る。図１に示される例において、ｅＮＢ１１０ａは、マクロ・セル１０２ａのためのマクロｅＮＢであり得、ｅＮＢ１１０ｂは、ピコ・セル１０２ｂのためのピコｅＮＢであり得、ｅＮＢ１１０ｃは、フェムト・セル１０２ｃのためのフェムトｅＮＢであり得る。ｅＮＢは、１つまたは複数（例えば、３つ）のセルをサポートし得る。「ｅＮＢ」、「基地局」、および「セル」という用語は、本書では互換的に使用され得る。
【００２１】
[0032]  ワイヤレス・ネットワーク１００はまた、中継局を含み得る。中継局は、アップストリーム局（例えば、ｅＮＢまたはＵＥ）からのデータの送信を受信し、ダウンストリーム局（例えば、ＵＥまたはｅＮＢ）へのデータの送信を送ることができるエンティティである。中継局はまた、他のＵＥのための送信を中継することができるＵＥであり得る。図１に示される例において、中継局１１０ｄは、ｅＮＢ１１０ａとＵＥ１２０ｄとの間の通信を容易にするために、マクロｅＮＢ１１０ａおよびＵＥ１２０ｄと通信し得る。中継局はまた、中継ｅＮＢ、中継基地局、中継器などと呼ばれ得る。
【００２２】
[0033]  ワイヤレス・ネットワーク１００は、異なるタイプのｅＮＢ、例えば、マクロｅＮＢ、ピコｅＮＢ、フェムトｅＮＢ、中継ｅＮＢなどを含む異種ネットワークであり得る。これらの異なるタイプのｅＮＢは、ワイヤレス・ネットワーク１００において異なる送信電力レベル、異なるカバレッジ・エリア、および干渉に対する異なる影響を有し得る。例えば、マクロｅＮＢが高い送信電力レベル（例えば、５〜４０Ｗ）を有し得るのに対して、ピコｅＮＢ、フェムトｅＮＢ、および中継ｅＮＢは、より低い送信電力レベル（例えば、０．１乃至２Ｗ）を有し得る。
【００２３】
[0034]  ネットワーク・コントローラ１３０は、ｅＮＢのセットに結合され得、これらのｅＮＢのための協調と制御を提供し得る。ネットワーク・コントローラ１３０は、バックホールを介してｅＮＢと通信し得る。ｅＮＢはさらに、例えば、直接的に、あるいは、ワイヤレスまたはワイヤーライン・バックホールを介して間接的に、互いに通信し得る。
【００２４】
[0035]  ＵＥ１２０（例えば、１２０ａ、１２０ｂ、１２０ｃ）は、ワイヤレス・ネットワーク１００にわたって分散され得、各ＵＥは、固定式または移動式であり得る。ＵＥはまた、アクセス端末、端末、モバイル局（ＭＳ）、加入者ユニット、局（ＳＴＡ）などとも呼ばれ得る。ＵＥは、セルラ電話、携帯情報端末（ＰＤＡ）、ワイヤレス・モデム、ワイヤレス通信デバイス、ハンドヘルド・デバイス、ラップトップ・コンピュータ、コードレス電話、無線ローカル・ループ（ＷＬＬ）局、タブレット、スマート・フォン、ネットブック、スマートブック、ウルトラブックなどであり得る。
【００２５】
[0036]  図２は、基地局／ｅＮＢ１１０およびＵＥ１２０の設計のブロック図であり、これらは、図１における複数の基地局／ｅＮＢのうちの１つおよび複数のＵＥのうちの１つであり得る。基地局１１０には、Ｔ個のアンテナ２３４ａ乃至２３４ｔが装備され得、ＵＥ １２０は、Ｒ個のアンテナ２５２ａ乃至２５２ｒが装備され得、ここで、一般に、Ｔ≧１およびＲ≧１である。
【００２６】
[0037]  基地局１１０において、送信プロセッサ２２０は、１つまたは複数のＵＥのためにデータ・ソース２１２からデータを受信し、ＵＥから受信されたチャネル品質インジケータ（ＣＱＩ）に基づいて各ＵＥに対して１つまたは複数の変調およびコーディング・スキーム（ＭＣＳ）を選択し、ＵＥごとにそのＵＥに対して選択された（１つまたは複数の）ＭＣＳに基づいてデータを処理（例えば、符号化および変調）し、すべてのＵＥに対してデータ・シンボルを提供し得る。送信プロセッサ２２０はまた、システム情報（例えば、準静的リソース分割情報（ＳＲＰＩ）など）および制御情報（例えば、ＣＱＩ要求、グラント（grant）、上位層シグナリングなど）を処理し、オーバーヘッド・シンボルおよび制御シンボルを提供し得る。プロセッサ２２０はまた、基準信号（例えば、共通基準信号（ＣＲＳ））および同期信号（例えば、プライマリ同期信号（ＰＳＳ）およびセカンダリ同期信号（ＳＳＳ））のための基準シンボルを生成し得る。送信（ＴＸ）多入力多出力（ＭＩＭＯ）プロセッサ２３０は、適用できる場合、データ・シンボル、制御シンボル、オーバーヘッド・シンボル、または基準シンボルで空間処理（例えば、プリコーディング）を実施し得、Ｔ個の変調器（ＭＯＤ）２３２ａ乃至２３２ｔにＴ個の出力シンボル・ストリームを提供し得る。各変調器２３２は、出力サンプル・ストリームを取得するために、（例えば、ＯＦＤＭなどのために）それぞれの出力シンボル・ストリームを処理し得る。各変調器２３２は、ダウンリンク信号を取得するために、出力サンプル・ストリームをさらに処理（例えば、アナログに変換、増幅、フィルタリング、およびアップコンバート）し得る。変調器２３２ａ乃至２３２ｔからのＴ個のダウンリンク信号は、Ｔ個のアンテナ２３４ａ乃至２３４ｔを経由してそれぞれ送信され得る。
【００２７】
[0038]  ＵＥ１２０において、アンテナ２５２ａ乃至２５２ｒは、基地局１１０または他の基地局からダウンリンク信号を受信し得、それぞれ復調器（ＤＥＭＯＤ）２５４ａ乃至２５４ｒに受信された信号を提供し得る。各復調器２５４は、入力サンプルを得るために、その受信された信号を調整（例えば、フィルタリング、増幅、ダウンコンバート、およびデジタル化）し得る。各復調器２５４はさらに、受信されたシンボルを取得するために、（例えば、ＯＦＤＭなどのために）入力サンプルを処理し得る。ＭＩＭＯ検出器２５６は、すべてのＲ個の復調器２５４ａ乃至２５４ｒから受信されたシンボルを取得し、適用できる場合には、受信されたシンボルでＭＩＭＯ検出を実施し、検出されたシンボルを提供し得る。受信プロセッサ２５８は、検出されたシンボルを処理（例えば、復調および復号）し、データ・シンク２６０にＵＥ１２０のための復号されたデータを提供し、制御装置／プロセッサ２８０に復号された制御情報およびシステム情報を提供し得る。チャネル・プロセッサは、基準信号受信電力（ＲＳＲＰ）、受信信号強度インジケータ（ＲＳＳＩ）、基準信号受信品質（ＲＳＲＱ）、ＣＱＩなどを決定し得る。
【００２８】
[0039]  アップリンクにおいて、ＵＥ１２０では、送信プロセッサ２６４は、データ・ソース２６２からのデータ、およびコントローラ／プロセッサ２８０からの（例えば、ＲＳＲＰ、ＲＳＳＩ、ＲＳＲＱ、ＣＱＩなどを含む報告のための）制御情報を受信し、処理し得る。プロセッサ２６４はまた、１つまたは複数の基準信号のための基準シンボルを生成し得る。送信プロセッサ２６４からのシンボルは、適用できる場合には、ＴＸ ＭＩＭＯプロセッサ２６６によってプリコードされ、（例えば、ＳＣ−ＦＤＭ、ＯＦＤＭなどのための）変調器２５４ａ乃至２５４ｒによってさらに処理され、基地局１１０に送信され得る。基地局１１０において、ＵＥ１２０および他のＵＥからのアップリンク信号は、アンテナ２３４によって受信され、復調器２３２によって処理され、適用できる場合には、ＭＩＭＯ検出器２３６によって検出され、ＵＥ１２０によって送られる復号されたデータおよび制御情報を取得するために受信プロセッサ２３８によってさらに処理され得る。プロセッサ２３８は、データ・シンク２３９には復号されたデータを、制御装置／プロセッサ２４０には復号された制御情報を、提供し得る。基地局１１０は、通信ユニット２４４を含み、通信ユニット２４４を介してネットワーク・コントローラ１３０に通信し得る。ネットワーク・コントローラ１３０は、通信ユニット２９４、コントローラ／プロセッサ２９０、およびメモリ２９２を含み得る。
【００２９】
[0040]  コントローラ／プロセッサ２４０および２８０は、基地局１１０およびＵＥ１２０において、それぞれ、動作を指示し得る。基地局１１０におけるコントローラ／プロセッサ２４０または他のコントローラ／プロセッサおよびモジュール、あるいはＵＥ１２０におけるコントローラ／プロセッサ２８０または他のコントローラ／プロセッサおよびモジュールは、ここで説明される技術のための処理を実施または指示し得る。メモリ２４２および２８２は、基地局１１０およびＵＥ１２０のためのデータおよびプログラム・コードを、それぞれ、記憶し得る。スケジューラ２４６は、ダウンリンクまたはアップリンク上のデータ送信のためにＵＥをスケジューリングし得る。
【００３０】
[0041]  ＵＥ１２０にデータを送信する場合に、基地局１１０は、データ割当サイズに少なくとも部分的に基づいてバンドリング・サイズ（bundling size）を決定し、決定されたバンドリング・サイズのバンドリングされた連続リソース・ブロックにおけるデータをプリコーディングするように構成され得、ここで、各バンドル（bundle）におけるリソース・ブロックは、共通プリコーディング・マトリックスでプリコーディングされ得る。すなわち、リソース・ブロックにおけるＵＥ−ＲＳのような基準信号（ＲＳ）またはデータは、同じプリコーダを使用してプリコーディングされ得る。バンドリングされたリソース・ブロック（ＲＢ）の各ＲＢにおけるＵＥ−ＲＳのために使用される電力レベルはまた、同じであり得る。
【００３１】
[0042]  ＵＥ１２０は、基地局１１０から送信されたデータを復号するために相補的処理（complementary processing）を実施するように構成され得る。例えば、ＵＥ１２０は、連続したＲＢの複数のバンドルにおいて基地局から送信された受信データのデータ割当てサイズに基づいてバンドリング・サイズを決定することと、ここにおいて各バンドルにおけるリソース・ブロックにおける少なくとも１つの基準信号は、共通のプリコーディング・マトリックスでプリコーディングされる、少なくとも１つのプリコーディングされたチャネルを、決定されたバンドリング・サイズと基地局から送信された１つまたは複数のＲＳとに基づいて推定することと、推定されたプリコーディングされたチャネルを使用して、受信された複数のバンドルを復号することと、を行うように構成され得る。
【００３２】
[0043]  図３は、ＬＴＥにおけるＦＤＤのための例となるフレーム構造３００を示す。ダウンリンクおよびアップリンクの各々に関わる送信タイムライン（transmission timeline）は、無線フレームの単位に分割され得る。各無線フレームは、所定の持続時間（例えば、１０ミリ秒（ｍｓ））を有し得、０乃至９のインデックスを有する１０個のサブフレームに分割され得る。各サブフレームは、２つのスロットを含み得る。各無線フレームは、かくして、０乃至１９のインデックスを有する２０個のスロットを含み得る。各スロットは、Ｌ個のシンボル期間、例えば、（図２に示されるような）通常のサイクリック・プレフィクス（a normal cyclic prefix）に関わる７個のシンボル期間、または拡張されたサイクリック・プレフィクス（an extended cyclic prefix）に関わる６個のシンボル期間を含み得る。各サブフレーム内における２Ｌ個のシンボル期間は、０乃至２Ｌ−１のインデックスを割り当てられ得る。
【００３３】
[0044]  ＬＴＥにおいて、ｅＮＢは、ｅＮＢによってサポートされる各セルに関わるシステム帯域幅の中心１．０８ＭＨｚにおけるダウンリンクでプライマリ同期信号（ＰＳＳ）およびセカンダリ同期信号（ＳＳＳ）を送信し得る。ＰＳＳおよびＳＳＳは、図３に示されるように、通常のサイクリック・プレフィクスを備えた各無線フレームのサブフレーム０および５における、それぞれ、シンボル期間６および５において、送信され得る。ＰＳＳおよびＳＳＳは、セルの探索および捕捉のためにＵＥによって使用され得る。ｅＮＢは、ｅＮＢによってサポートされるセルごとのシステム帯域幅にわたってセル固有の基準信号（ＣＲＳ）を送信し得る。ＣＲＳは、各サブフレームの特定のシンボル期間において送信され得、チャネル推定、チャネル品質測定（channel quality measurement）、または他の機能を実施するためにＵＥによって使用され得る。ｅＮＢはまた、特定の無線フレームのスロット１におけるシンボル期間０乃至３で物理ブロードキャスト・チャネル（ＰＢＣＨ）を送信し得る。ＰＢＣＨは、いくつかのシステム情報を搬送し得る。ｅＮＢは、特定のサブフレームにおける物理ダウンリンク共有チャネル（ＰＤＳＣＨ）でシステム情報ブロック（ＳＩＢ）のような他のシステム情報を送信し得る。ｅＮＢは、サブフレームの第１のＢ個のシンボル期間における物理ダウンリンク制御チャネル（ＰＤＣＣＨ）で制御情報／データを送信し得、ここにおいて、Ｂ個はサブフレームごとに設定可能であり得る。ｅＮＢは、各サブフレームの残存シンボル期間（remaining symbol periods）におけるＰＤＳＣＨでトラヒック・データまたは他のデータを送信し得る。
【００３４】
[0045]  ＬＴＥにおけるＰＳＳ、ＳＳＳ、ＣＲＳ、およびＰＢＣＨは、「Evolved Universal Terrestrial Radio Access (E-UTRA); Physical Channels and Modulation」と題する、３ＧＰＰ ＴＳ ３６．２１１で説明されており、これは公に入手可能である。
【００３５】
[0046]  図４は、通常のサイクリック・プレフィクスを有する、ダウンリンクのための２つの例となるサブフレーム・フォーマット４１０および４２０を示す。ダウンリンクのために利用可能な時間周波数リソースは、リソース・ブロックに分割され得る。各リソース・ブロックは、１つのスロットにおいて１２個のサブキャリアをカバーし得、複数のリソース・エレメントを含み得る。各リソース・エレメントは、１つのシンボル期間において１つのサブキャリアをカバーし得、１つの変調シンボルを送るために使用され得、それは、実数または複素数であり得る。
【００３６】
[0047]  サブフレーム・フォーマット４１０は、２個のアンテナを備えたｅＮＢのために使用され得る。ＣＲＳは、シンボル期間０、４、７、および１１におけるアンテナ０および１から送信され得る。基準信号は、送信機と受信機とによって推測的に（a priori）知られている信号であり、パイロットとも呼ばれ得る。ＣＲＳは、例えば、セル・アイデンティティ（ＩＤ）に基づいて生成されたセルのための固有の基準信号である。図４では、Ｒａとラベル表示される所与のリソース・エレメントに関して、変調シンボルは、アンテナａからそのリソース・エレメント上で送信され得、いずれの変調シンボルも、その他のアンテナからは、そのリソース・エレメント上で送信され得ない。サブフレーム・フォーマット４２０は、４個のアンテナを備えたｅＮＢのために使用され得る。ＣＲＳは、シンボル期間０、４、７、および１１においてアンテナ０および１から、シンボル期間１および８においてアンテナ２および３から、送信され得る。サブフレーム・フォーマット４１０および４２０の両方に関して、ＣＲＳは、空間サブキャリアで均等に送信され得、それは、セルＩＤに基づいて決定され得る。異なるｅＮＢは、それらのセルＩＤに依存して、同じまたは異なるサブキャリアでそれらのＣＲＳを送信し得る。サブフレーム・フォーマット４１０および４２０の両方に関して、ＣＲＳのために使用されないリソース・エレメントは、データ（例えば、トラヒック・データ、制御データ、または他のデータ）を送信するために使用され得る。
【００３７】
[0048]  インターレース構造は、ＬＴＥにおけるＦＤＤのためのダウンリンクおよびアップリンクの各々に対して使用され得る。例えば、０乃至Ｑ−１のインデックスを有するＱ個のインターレースが定義され得、ここにおいてＱは４、６、８、１０、または何らかの他の値と等しいものであり得る。各インターレースは、Ｑ個のフレームによって離間されたサブフレームを含み得る。特に、インターレースｑは、サブフレームｑ、ｑ＋Ｑ、ｑ＋２Ｑなどを含み得、ここにおいて、ｑ∈｛０，．．．，Ｑ−１｝である。
【００３８】
[0049]  ワイヤレス・ネットワークは、ダウンリンクおよびアップリンク上でのデータ送信に関するハイブリッド自動再送要求（ＨＡＲＱ）をサポートし得る。ＨＡＲＱに関しては、送信機（例えば、ｅＮＢ１１０）は、パケットが受信機（例えば、ＵＥ １２０）によって正確に復号されるかまたは何らかの他の終了条件が生じるまで、パケットの１つまたは複数の送信を送り得る。同期ＨＡＲＱに関しては、パケットのすべての送信は、単一のインターレースのサブフレームにおいて送られ得る。非同期ＨＡＲＱに関しては、パケットの各送信は、任意のサブフレームにおいて送られ得る。
【００３９】
[0050]  １つのＵＥが、複数のｅＮＢのカバレッジ内に置かれ得る。これらｅＮＢのうちの１つが、ＵＥにサービスするために選択され得る。サービスするｅＮＢは、受信信号強度、受信信号品質、パス・ロスなどのようなさまざまな基準に基づいて選択され得る。受信信号品質は、信号対干渉および雑音比（ＳＩＮＲ）、または、基準信号受信品質（ＲＳＲＱ）、あるいは何らかの他の基準によって定められ得る。ＵＥは、ＵＥが１つまたは複数の干渉ｅＮＢから高い干渉を観測し得る支配的干渉シナリオ（dominant interference scenario）において、動作し得る。
【００４０】
[0051]  ＬＴＥにおいて、アップリンクおよびダウンリンク・サブフレームの方向に関わる異なる構成が、周波数分割複信（ＦＤＤ）および時分割複信（ＴＤＤ）フレーム構造の両方のためにサポートされ得る。
【００４１】
[0052]  図５は、ＴＤＤのためにサポートされる７個の可能なダウンリンク（ＤＬ）およびアップリンク（ＵＬ）サブフレーム構成を示す。各ＤＬ／ＵＬサブフレーム構成は、関連付けされた切り替えポイント周期（switch-point periodicity）を有し得、それは、５または１０ミリ秒であり得る。各サブフレームは、アップリンク、ダウンリンク、または特別なサブフレームのいずれかであり得る。５ミリ秒の切り替え周期を有するサブフレーム構成に関わる図５における表から明らかであるように、１つのフレーム内に２つの特別なサブフレームが存在する。１０ミリ秒の切り替え周期を有するサブフレーム構成に関しては、１つのフレーム内に１つの特別なサブフレームが存在する。
【００４２】
[0053]  いくつかの場合では、特定の送信が、受診の成功の可能性を高めるために繰り返され得る。例えば、特定のシステム（例えば、ロング・ターム・エボリューション（ＬＴＥ）リリース８またはより最近のもの）では、送信時間間隔（ＴＴＩ）バンドリング（すなわち、サブフレーム・バンドリング）は、ユーザ機器（ＵＥ）ベースごとに構成されることができる。ＴＴＩバンドリングは、上位レイヤから提供されるパラメータ、ｔｔｉバンドリング（ttiBundling）、によって構成され得る。ＴＴＩバンドリング（TTI bundling）がＵＥのために構成されている場合、サブフレーム・バンドリング動作は、アップリンク共有チャネル（ＵＬ−ＳＣＨ）に対してのみ適用され得、（例えば、アップリンク制御情報（ＵＣＩ）のような）他のアップリンク信号またはトラヒックに対しては適用されない場合がある。いくつかの場合では、ＴＴＩバンドリング・サイズは、４つのサブフレームにおいて固定される（例えば、ＰＵＳＣＨは、４つの連続したサブフレームにおいて送信される）。同じハイブリッド自動再送要求（ＨＡＲＱ）処理ナンバーが、バンドリングされたサブフレームの各々において使用されることができる。リソース割当てサイズは、最大で３個のリソース・ブロック（ＲＢ）に制限され得、変調次数は、２に設定されることができる（例えば、直交位相偏移キーイング（ＱＰＳＫ））。１つのＴＴＩバンドルは、単一のリソースとして扱われることができ、それのために、単一のグラントおよび単一のＨＡＲＱ肯定応答（ＡＣＫ）が、バンドルごとに使用される。
【００４３】
ｅＭＴＣのための例となるＰＢＣＨ再送
[0054]  特定のシステム（例えば、ＬＴＥリリース１２）に関しては、（例えば、物理ブロードキャスト・チャネル（ＰＢＣＨ）のための）カバレッジ・エンハンスメントが、さまざまなシナリオにおいて望ましくあり得る。例えば、カバレッジ・エンハンスメントは、（例えば、地下（basement）または谷（valley）における）深いカバレッジ・ホールにおけるデバイスまたはマシン・タイプ通信（ＭＴＣ）デバイスにサービスを提供するために、望ましい。カバレッジ・エンハンスメントは、増大された帯域幅通信のための高周波数（例えば、高マイクロ波、またはミリメートル波周波数）の展開において望ましい。カバレッジ・エンハンスメントはさらに、低データ・レートのユーザ、遅延耐性のユーザ（delay tolerant users）、ボイス・オーバー・インターネット・プロトコル（ＶｏＩＰ）および中位データ・レートのユーザ、などに対して望ましい。
【００４４】
[0055]  典型的に、ＰＢＣＨは、１０ｍｓの長さごとに１バーストで、４０ｍｓごとに送信される。特定の態様にしたがって、ＰＢＣＨカバレッジ・エンハンスメントに関して、ｅノードＢ（ｅＮＢ）は、ＰＢＣＨのバンドリングまたは再送を実施し得る。
【００４５】
[0056]  上述されたように、ＰＢＣＨは、カバレッジを強化するために繰り返され得る。例えば、ＰＢＣＨ再送は、無線フレームの少なくとも２つのサブフレーム内で、および全ての無線フレームにおいて、実施され得る。いくつかの場合では、セルにおいてＰＢＣＨ再送を構成するか否かは、ネットワークによって異なり得る。ＰＢＣＨ再送構成は、セルのロング・ターム・プロパティとして見なされ得、かくして、ＵＥは、ＰＢＣＨ再送構成が、非アクティブの期間の後にアクティブになるとき（例えば、ＤＲＸサイクルから覚醒するとき）と同じであると想定し得る。
【００４６】
[0057]  特定の態様にしたがって、ＰＢＣＨ再送は、以下に説明されるように、異なるシステムのタイプ（例えば、時分割複信（ＴＤＤ）、周波数分割複信（ＦＤＤ））に対して異なって実施され得、セルのサブフレーム構成に基づき、および／または、動作帯域幅（例えば、１．４ＭＨｚ、３ＭＨｚ、５ＭＨｚ、１０ＭＨｚ、１５ＭＨｚおよび２０ＭＨｚ）に基づき得る。
【００４７】
[0058]  図６は、本開示の特定の態様にしたがって、例えば、ｅＭＴＣのためのＰＢＣＨ（または他のタイプのチャネル）再送に関しては基地局（ＢＳ）によって実施され得る例となる動作６００を例示する。
【００４８】
[0059]  動作６００は、６０２において、（例えば、サブフレーム構成および／またはシステム帯域幅に少なくとも基づいて）チャネルが送信されるべき無線フレームのサブフレームを指示する再送パターンを決定することによって開始する。６０４において、ＢＳは、決定された再送パターンにしたがってチャネルを送信する。
【００４９】
[0060]  図７は、例えば、本開示の特定の態様にしたがって、ｅＭＴＣのためのＰＢＣＨ再送をモニタするために、ユーザ機器（ＵＥ）によって、実施され得る例となる動作７００を例示する。
【００５０】
[0061]  動作７００は、７０２において、チャネルが送信されるべき無線フレームのサブフレームを指示する再送パターンを（例えば、サブフレーム構成および／またはシステム帯域幅に少なくとも基づいて）決定することによって開始する。７０４において、ＵＥは、決定された再送パターンにしたがってチャネルの送信をモニタする。
【００５１】
[0062]  繰り返し送信され得るチャネルの１つのタイプは、ブロードキャスト・チャネル、例えば、ＰＢＣＨである。上述されたように、ＰＢＣＨは、カバレッジを強化するために、再送パターンにしたがって、再送され得る。特定の態様によっては、サブフレーム構成および／または動作帯域幅に基づいて、ＰＢＣＨは、再送パターンにしたがって、（例えばバンドリングされた）時間領域において再送され得る。例えば、ＰＢＣＨは、（例えば、サブフレーム構成および／または動作帯域幅に基づき得る再送パターンにしたがって）無線フレーム内で複数のサブフレームにおいて送信され得る。しかしながら、このような送信に適した／利用可能なサブフレームは、システム帯域幅および／またはサブフレーム構成のタイプに基づいて変わり得る。
【００５２】
[0063]  例えば、図８は、ＰＢＣＨ再送のために利用可能であり得るＴＤＤサブフレームを例示する。示されているように、サブフレーム０（図３に示されているようにＰＢＣＨ送信のための典型的な位置）は、ＰＢＣＨ送信のために使用され得る。いくつかの場合では、サブフレーム構成０、３、および６以外ではＰＢＣＨ再送のためにサブフレーム４を使用することが可能であり得る。いくつかの場合では、サブフレーム５が、図７に示されているように、全てのサブフレーム構成に対してダウンリンク（ＤＬ）であるため、ＰＢＣＨ送信のために使用され得る。しかしながら、全ＢＷが１．４ＭＨｚでＳＩＢ１のために使用されることにより、１．４ＭＨｚに関してＰＢＣＨ送信を再送することが可能ではない場合がある。しかしながら、１．４ＭＨｚは高スペクトル密度を有するために１．４ＭＨｚに関わるＰＢＣＨ再送を提供する必要が無い場合があり、つまり、１．４ＭＨｚは、再送が提供し得るゲインをすでに有し得る。いくつかの場合では、サブフレーム構成０におけるサブフレーム９がアップリンク（ＵＬ）であるために、サブフレーム９は、サブフレーム構成０以外でＰＢＣＨ再送のために使用され得る。
【００５３】
[0064]  上記を考慮すると、図７に示されているように、サブフレーム５はすべてのサブフレーム構成に対してＤＬであるため、動作帯域幅３ＭＨｚ、５ＭＨｚ、１０ＭＨｚ、１５ＭＨｚ、および２０ＭＨｚに関して、サブフレーム５においてＰＢＣＨ再送を提供することが有効であり得る（すなわち、ＰＢＣＨは、サブフレーム０において送信され、サブフレーム５において再送される）。上述のように、１．４ＭＨｚに関わるサブフレーム再送は、１．４ＭＨｚが高スペクトル密度を有し且つＰＢＣＨ再送が提供し得るゲインを既に有するために、必要ではない場合がある。
【００５４】
[0065]  特定の態様にしたがって、サブフレーム５におけるＰＢＣＨ再送は、ＳＩＢスケジューリングに影響を与え得る。例えば、サブフレーム５におけるＰＢＣＨ再送は、ＰＢＣＨ送信のための動作帯域幅の中央の６リソース・ブロック（ＲＢ）を使用し得、それは、ＳＩＢ送信のために典型的に使用される。かくして、ＰＢＣＨ再送がサブフレーム５において提供される場合、ＳＩＢは、ＰＢＣＨ再送と衝突しないような方法で、（例えば、中央の６ＲＢの外側のＳＩＢをスケジューリングすることによって）スケジューリングされるべきである。
【００５５】
[0066]  特定の態様にしたがって、サブフレーム構成０が使用されているときを除いて、動作帯域幅ごとにサブフレーム９においてＰＢＣＨ送信再送を提供することが、有効であり得る。例えば、ＰＢＣＨは、サブフレーム０において送信され、サブフレーム９において再送され得る。しかしながら、ＰＢＣＨがサブフレーム０において送信されＳＩＢがサブフレーム５において送信されるので、このオプションは、いくつかのサブフレーム構成（例えば、サブフレーム構成６）に関して、１．４ＭＨｚの動作帯域幅のためのＤＬデータに関わる余裕（room）をほとんど残さない。
【００５６】
[0067]  特定の態様にしたがって、ＰＢＣＨは、強化されたカバレッジを獲得するために周波数分割複信（ＦＤＤ）および／または時分割複信（ＴＤＤ）でセルにおいて再送され得る。例えば、ＰＢＣＨは、サブフレーム構成、複信モード、および／または動作帯域幅に基づき得る再送パターンにしたがって再送され得る。
【００５７】
[0068]  図９は、ＰＢＣＨ再送のために使用可能であり得るＦＤＤサブフレームを例示する。特定の態様にしたがって、時分割複信再送と調和するために、ＰＢＣＨは、サブフレーム５において再送され得る。しかしながら、ＦＤＤの場合における再送に関しては、ＰＢＣＨは、（例えば、サブフレーム４、５、および／または９のような）図９において例示される任意のページング・フレームにおいて再送され得る。
【００５８】
ＰＢＣＨ再送のシグナリング
[0069]  いくつかの場合では、チャネル再送の使用をシグナリングすることが望ましい。例えば、良好なカバレッジ条件にあるＵＥは、再送なしでＰＢＣＨを検出し得るが、レート・マッチングの目的でＰＢＣＨが再送されるかどうかを認識する必要があり得る。
【００５９】
[0070]  例えば、（例えば、１．４ＭＨｚ、３ＭＨｚ、および５ＭＨｚのように）奇数のＲＢを有する帯域幅に関しては、中央の６ＲＢは、物理リソース・ブロックとアラインされない場合がある。例えば、図１０に示されているように、帯域幅３ＭＨｚに関わる中央の６ＲＢは、リソース・ブロック５乃至９、リソース・ブロック４の半分、およびリソース・ブロック１０の半分であり得る。そのため、（例えば動作帯域幅１．４ＭＨｚ、３ＭＨｚ、または５ＭＨｚのような）奇数のＲＢを有するセルにおいて動作するＵＥが、ＰＢＣＨが中央の６ＲＢにおいてスケジューリングされ例えばＲＢ４が割り当てられることを知らされていない場合、ＵＥは、それがＰＢＣＨ再送の周りでレート・マッチングするべきであるかどうかを認識しない。かくして、特定の態様にしたがって、基地局は、ＰＢＣＨ再送が使用可能であるかどうかを知らせるシグナリングを、ＵＥに送信し得る。
【００６０】
[0071]  図１１は、本開示の特定の態様にしたがって、ｅＭＴＣのためのＰＢＣＨ再送を指示するシグナリングを送信するために、例えば、基地局（ＢＳ）によって、実施され得る例となる動作１１００を例示する。
【００６１】
[0072]  動作１１００は、１１０２において、チャネルが送信されるべき無線フレームのサブフレームを指示する再送パターンを決定することによって開始する。１１０４において、ＢＳは、決定された再送パターンにしたがってチャネルが送信されるべきことを指示するシグナリングを送信する。
【００６２】
[0073]  図１２は、ＰＢＣＨ再送を指示するシグナリングを受信するために、例えば、ユーザ機器（ＵＥ）によって、実施される例となる動作１２００を例示する。前述されたように、シグナリングは、ｅＭＴＣデバイスおよび非ｅＭＴＣデバイスの両方のために有効であり得る。
【００６３】
[0074]  動作１２００は、１２０２において、チャネルが送信されるべき無線フレームのサブフレームを指示する再送パターンを指示するシグナリングを受信することによって開始する。１２０４において、ＵＥは、決定された再送パターンにしたがってチャネルの送信をモニタする。
【００６４】
[0075]  上述されたように、基地局は、ＵＥに、ＰＢＣＨ再送が使用可能であるかどうかをそれに知らせるシグナリングを、送信し得る。いくつかの場合では、ＰＢＣＨ再送が使用可能であるかどうかをＵＥに知らせるシグナリングは、次の送信（例えば、ページング、ランダム・アクセス応答、ＳＩＢ１）がＰＢＣＨ再送の周りでレート・マッチングされ得るように、マスター情報ブロック（ＭＩＢ）における基地局によって送信され得る。
【００６５】
[0076]  さらに、いくつかの場合では、ＰＢＣＨ再送が使用可能であるかどうかをＵＥに知らせるシグナリングは、ＳＩＢ１において基地局によって送信され得る。このような場合では、基地局は、中央の６ＲＢの外側でＳＩＢ１をスケジューリングし得、そうでない場合は、ＳＩＢ１は、ＰＢＣＨによってパンクチャされ得る。
【００６６】
[0077]  いくつかの場合では、ＰＢＣＨ再送が使用可能であるかどうかをＵＥに知らせるシグナリングは、基地局がＰＢＣＨ再送を搬送する無線フレームの中央の６ＲＢにおいてＵＥをスケジューリングしない場合は、必要でない場合がある。しかしながら、ＵＥが中央の６ＲＢにおいてスケジューリングされる場合、中央の６ＲＢにおいてスケジューリングされたチャネルは、ＰＢＣＨを支持する基地局によってパンクチャされ得る。
【００６７】
[0078]  特定の態様にしたがって、（例えばリリース１３のＵＥのように）ｅＭＴＣ能力をサポートしないが、ｅＭＴＣセルの特徴を検出することが可能であるＵＥは、ＰＢＣＨ再送を指示するシグナリングから利益を得うる、というのも、それらの物理ダウンリンク共有チャネル（ＰＤＳＣＨ）／エンハンスド物理ダウンリンク制御チャネル（ｅＰＤＣＣＨ）が、再送されるＰＢＣＨの周りでレート・マッチングされ得るからである。しかしながら、いくつかの場合では、特定のＵＥは、ＰＢＣＨ再送を「理解（understand）」しない場合がある。かくして、このようなタイプのＵＥに関しては、ＢＳは、ＰＢＣＨによってそれらのＰＤＳＣＨ／ＥＰＤＣＣＨをパンクチャし得る。
【００６８】
[0079]  いくつかの場合では、ＵＥは、再送パターンを認識しないで特定のチャネル（例えば、ＰＢＣＨ）を復号する必要があり得る。このような場合では、ＵＥは、異なる可能な再送パターンを試みることによって、チャネルをブラインド復号（blind decode）し得る。
【００６９】
[0080]  本開示の態様は、特にＰＢＣＨ再送に関するが、本書に開示される技術が任意のチャネル再送に適用し得ることが理解されるべきである。例えば、ダウンリンク（例えば、ＰＤＳＣＨ、ＰＤＣＣＨ）の再送パターン（例えばバンドリング・サイズ、ホッピング）またはアップリンク（例えばＰＵＳＣＨ、ＰＵＣＣＨ）チャネルは、少なくともサブフレーム構成および／または複信モードおよび／または動作帯域幅に依存して、選択され得る。
【００７０】
[0081]  本書で使用される場合、「決定すること（determining）」という用語は、幅広い動作を包含する。例えば、「決定すること」は、算出すること、計算すること、処理すること、導出すること、調査すること、ルックアップすること（例えば、表、データベースまたは別のデータ構造内においてルックアップすること）、確定することなどを含み得る。また、「決定すること」は、受信すること（例えば、情報を受信すること）、アクセスすること（例えば、メモリ内のデータにアクセスすること）などを含み得る。また、「決定すること」は、解決すること、選択すること、選ぶこと、確立することなどを含み得る。
【００７１】
[0082]  上述された方法のさまざまな動作は、対応する機能を実施することが可能である任意の適した手段によって実施され得る。手段は、回路、特定用途向け集積回路（ＡＳＩＣ）、またはプロセッサを含むが、これらに限定されない、さまざまなハードウェアまたはソフトウェアの（１つまたは複数の）コンポーネントまたは（１つまたは複数の）モジュールを含み得る。ソフトウェアは、ソフトウェア、ファームウェア、ミドルウェア、マイクロコード、ハードウェア記述言語、またはその他の名称で呼ばれるかにかかわらず、命令、命令セット、コード、コード・セグメント、プログラム・コード、プログラム、サブプログラム、ソフトウェア・モジュール、アプリケーション、ソフトウェア・アプリケーション、ソフトウェア・パッケージ、ファームウェア、ルーチン、サブルーチン、オブジェクト、実行ファイル、実行スレッド、プロシージャ、関数などを意味するように広く解釈されるべきである。
【００７２】
[0083]  例えば、構成に依存して、送信するための手段は、ＵＥ１２０の（１つまたは複数の）アンテナ２５２または送信機、あるいは、ｅＮＢ１１０の（１つまたは複数の）アンテナ２３４または送信機を備え得る。受信するための手段は、ＵＥ１２０の（１つまたは複数の）アンテナ２５２または受信機、あるいは、ｅＮＢ１１０の（１つまたは複数の）アンテナ２３４または受信機を備え得る。決定するための手段、および／またはモニタするための手段は、処理システムを備え得、それは、１つまたは複数のコントローラ／プロセッサ、例えば、図２に例示されている、ｅＮＢ１１０およびＵＥ１２０のコントローラ／プロセッサのいずれかを含み得る。
【００７３】
[0084]  特定の態様にしたがって、そのような手段は、（例えば、ハードウェア内においてまたはソフトウェア命令を実行することによって）さまざまなアルゴリズムをインプリメントすることによって対応する機能を実施するように構成された処理システムによってインプリメントされ得る。例えば、アルゴリズムは、図６、７、１１、および／または１２のうちのいずれか１つにおいて例示されるステップのうちのいずれかを含み得る。
【００７４】
[0085]  さまざまなアルゴリズムは、コンピュータ可読媒体、例えば、非一時的なコンピュータ可読媒体によって、インプリメントされ得る。コンピュータ可読媒体は、それに記憶されたコンピュータ実行可能命令（例えば、コード）を有し得る。例えば、命令は、図２に示されているｅＮＢ１１０またはＵＥ１２０のプロセッサのうちのいずれかのような、プロセッサまたは処理システムによって実行可能であり、ｅＮＢ１１０のメモリ２４２またはＵＥ１２０のメモリ２８２のような、メモリにおいて記憶され得る。
【００７５】
[0086]  「または／あるいは／もしくは（or）」という用語は、排他的な「または／あるいは／もしくは」というよりはむしろ包括的な「または／あるいは／もしくは」を意味することが意図される。すなわち、そうではないと指定されていない、またはコンテキストから明らかでない限り、「ＸはＡまたはＢを用いる」という句は、自然な包括的置換のうちのいずれかを意味することが意図される。すなわち、「ＸはＡあるいは（または）Ｂを用いる」というフレーズは、ＸはＡを用いる、ＸはＢを用いる、あるいは、ＸはＡおよびＢの両方を用いる、というインスタンスのうちのいずれかに一致する。さらに、本願および添付の特許請求の範囲で使用される冠詞「ａ」および「ａｎ」は、そうではないと指定されるか、単数形を示すことが文脈から明白でない限り、概して「１つまたは複数」を意味するものと解釈されるべきである。項目のリストのうちの「少なくとも１つ」に言及するフレーズは、単一のメンバーおよび二重のメンバーを含めて、それらの項目のうちの任意の組み合わせに言及する。例として、「ａ、ｂ、またはｃのうちの少なくとも１つ」は、例えば、ａ、ｂ、ｃ、ａ−ｂ、ａ−ｃ、ｂ−ｃ、ａ−ｂ−ｃ、ａａ、ａ−ｂｂ、ａ−ｂ−ｃｃなどをカバーすることが意図されている。
【００７６】
[0087]  本書における開示に関連して説明された方法またはアルゴリズムのステップは、ハードウェアで直接に、プロセッサによって実行されたソフトウェア・モジュールで、または２つの組み合わせで、具現化され得る。ソフトウェア・モジュールは、ＲＡＭメモリ、フラッシュ・メモリ、ＲＯＭメモリ、ＥＰＲＯＭメモリ、ＥＥＰＲＯＭ（登録商標）メモリ、レジスタ、ハード・ディスク、リムーバブル・ディスク、ＣＤ−ＲＯＭ、または当該技術において知られる任意の他の形態の記憶媒体中に存在し得る。例示的な記憶媒体は、プロセッサが、記憶媒体から情報を読み取り、および記憶媒体に情報を書き込むことができるようにプロセッサに結合される。代替として、記憶媒体は、プロセッサと一体化され得る。プロセッサおよび記憶媒体は、ＡＳＩＣに存在し得る。ＡＳＩＣは、ユーザ端末に存在し得る。代替として、プロセッサおよび記憶媒体は、ユーザ端末において離散コンポーネントとして存在し得る。一般に、図内において例示される動作が存在する場合、それらの動作は、同様の番号を有する対応する同等のミーンズ・プラス・ファンクション・コンポーネントを有し得る。
【００７７】
[0100]  １つまたは複数の例示的な設計では、説明された機能は、ハードウェア、ソフトウェア、またはそれらの組合せでインプリメントされ得る。ソフトウェアにおいてインプリメントされる場合、機能は、コンピュータ可読媒体上における１つまたは複数の命令またはコードとして記憶または送信され得る。コンピュータ可読媒体は、コンピュータ記憶媒体と１つの場所から別の場所へのコンピュータ・プログラムの転送を容易にする任意の媒体を含む通信媒体との両方を含む。記憶媒体は、汎用または専用コンピュータによってアクセスされることができる任意の入手可能な媒体であり得る。限定ではなく例として、そのようなコンピュータ可読媒体は、ＲＡＭ、ＲＯＭ、ＥＥＰＲＯＭ、ＣＤ−ＲＯＭ、または他の光ディスク記憶装置、磁気ディスク記憶装置、または他の磁気記憶デバイス、または、命令またはデータ構造の形態で所望のプログラム・コード手段を搬送または記憶するために使用されることができ、かつ、汎用または専用コンピュータ、または汎用または専用プロセッサによってアクセスされることができる、任意の他の媒体を備えることができる。また、任意の接続は、厳密にはコンピュータ可読媒体と呼ばれる。例えば、ソフトウェアが、同軸ケーブル、光ファイバー・ケーブル、ツイスト・ペア、デジタル加入者回線（ＤＳＬ）、または赤外線、無線、およびマイクロ波のようなワイヤレス技術を使用して、ウェブサイト、サーバ、または他の遠隔ソースから送信される場合、この同軸ケーブル、光ファイバー・ケーブル、ツイスト・ペア、ＤＳＬ、または赤外線、無線、およびマイクロ波のようなワイヤレス技術は、媒体の定義に含まれる。本書で使用される場合、ディスク（disk）およびディスク（disc）は、コンパクト・ディスク（ＣＤ）、レーザー・ディスク、光ディスク、デジタル多用途ディスク（ＤＶＤ）、フロッピー（登録商標）ディスク、およびブルーレイ・ディスクを含み、ここでディスク（disk）は通常、磁気的にデータを再生し、ディスク（disc）は、レーザーを用いて光学的にデータを再生する。上記の組合せもまた、コンピュータ可読媒体の範囲内に含まれるべきである。
【００７８】
[0101]  本開示の先の説明は、当業者の誰もが本開示を製造または使用することを可能にするために提供される。本開示に対するさまざまな修正は、当業者に容易に明らかであり、本書に定義されている包括的な原理は、本開示の精神または範囲から逸脱せずに、他のバリエーションに適用され得る。かくして、本開示は、本書において説明された例および設計に限定されるよう意図されず、本書で開示された原理および新規の特徴と一致する最も幅広い範囲が付与されるべきである。
以下に本願の出願当初の特許請求の範囲に記載された発明を付記する。
［Ｃ１］
基地局（ＢＳ）によるワイヤレス通信のための方法であって、
チャネルが送信されるべき無線フレームのサブフレームを指示する再送パターンを決定することと、
前記決定された再送パターンにしたがって前記チャネルを送信することと、を備える方法。
［Ｃ２］
前記決定は、サブフレーム構成に少なくとも部分的に基づく、Ｃ１に記載の方法。
［Ｃ３］
時分割複信（ＴＤＤ）サブフレーム構成とは異なる再送パターンが周波数分割複信（ＦＤＤ）サブフレーム構成のために決定される、Ｃ２に記載の方法。
［Ｃ４］
ＦＤＤサブフレーム構成に関しては、前記再送パターンは、ページングのために使用される１つまたは複数のサブフレームを備える、Ｃ３に記載の方法。
［Ｃ５］
ＦＤＤサブフレーム構成に関しては、前記再送パターンは、前記無線フレームの第５のサブフレームを備え、ここにおいて、ＴＤＤサブフレーム構成に関しては、前記再送パターンは、前記無線フレームの第９のサブフレームを備える、Ｃ３に記載の方法。
［Ｃ６］
ＴＤＤサブフレーム構成およびＦＤＤサブフレーム構成に関わる再送パターンは、少なくとも１つの共通のサブフレームを共有する、Ｃ３に記載の方法。
［Ｃ７］
前記決定は、動作帯域幅に、少なくとも部分的に、基づき、ここにおいて、特定のサブフレーム構成に関しては、所定のサブフレームは、特定の動作帯域幅に関してのみ前記再送パターンに含まれる、Ｃ１に記載の方法。
［Ｃ８］
前記チャネルは、物理ブロードキャスト・チャネルを備える、Ｃ１に記載の方法。
［Ｃ９］
前記決定された再送パターンにしたがって前記チャネルを送信するときに１つまたは複数の他のチャネルをパンクチャすることをさらに備える、Ｃ１に記載の方法。
［Ｃ１０］
前記チャネルが前記決定された再送パターンにしたがって送信されるべきことを指示するシグナリングを送信することをさらに備える、Ｃ１に記載の方法。
［Ｃ１１］
前記チャネルは、物理ブロードキャスト・チャネル（ＰＢＣＨ）を備え、
前記シグナリングは、システム情報ブロック（ＳＩＢ）送信を介して提供される、Ｃ１０に記載の方法。
［Ｃ１２］
前記決定された再送パターンにしたがって前記チャネルを送信するときに１つまたは複数の他のチャネルをパンクチャすることをさらに備える、Ｃ１０に記載の方法。
［Ｃ１３］
前記１つまたは複数の他のチャネルは、前記決定された再送パターンにしたがって前記チャネルの送信をサポートしないレガシ・デバイスによって復号可能であるチャネルを備える、または、
前記１つまたは複数の他のチャネルは、前記決定された再送パターンにしたがって前記チャネルの前記送信を認識しないデバイスによって復号可能であるチャネルを備える、のうちの少なくとも１つである、Ｃ１２に記載の方法。
［Ｃ１４］
前記決定された再送パターンにしたがって前記チャネルの周りの１つまたは複数の他のチャネルをレート・マッチングすることをさらに備え、ここにおいて、前記１つまたは複数の他のチャネルは、前記決定された再送パターンにしたがって前記チャネルの前記送信を認識するデバイスによって復号可能であるチャネルを備える、Ｃ１０に記載の方法。
［Ｃ１５］
ユーザ機器（ＵＥ）によるワイヤレス通信のための方法であって、
チャネルが送信されるべき無線フレームのサブフレームを指示する再送パターンを決定することと、
前記決定された再送パターンにしたがって前記チャネルの送信をモニタすることと、を備える方法。
［Ｃ１６］
前記決定は、サブフレーム構成に、少なくとも部分的に、基づき、ここにおいて、前記チャネルは、物理ブロードキャスト・チャネルを備える、Ｃ１５に記載の方法。
［Ｃ１７］
時分割複信（ＴＤＤ）サブフレーム構成とは異なる再送パターンが周波数分割複信（ＦＤＤ）サブフレーム構成に関して決定される、Ｃ１６に記載の方法。
［Ｃ１８］
ＦＤＤサブフレーム構成に関しては、前記再送パターンは、ページングのために使用される１つまたは複数のサブフレームを備える、Ｃ１７に記載の方法。
［Ｃ１９］
ＦＤＤサブフレーム構成に関しては、前記再送パターンは、前記無線フレームの第５のサブフレームを備え、ここにおいて、ＴＤＤサブフレーム構成に関しては、前記再送パターンは、前記無線フレームの第９のサブフレームを備える、Ｃ１７に記載の方法。
［Ｃ２０］
ＴＤＤサブフレーム構成およびＦＤＤサブフレーム構成に関わる再送パターンは、少なくとも１つの共通のサブフレームを共有する、Ｃ１７に記載の方法。
［Ｃ２１］
前記決定は、動作帯域幅に、少なくとも部分的に、基づき、ここにおいて、特定のサブフレーム構成に関しては、所定のサブフレームは、特定の動作帯域幅にのみ関わる前記再送パターンに含まれる、Ｃ１５に記載の方法。
［Ｃ２２］
前記決定は、前記再送パターンの事前の認識なしで前記チャネルの繰り返される送信の検出に基づく、Ｃ１５に記載の方法。
［Ｃ２３］
前記決定された再送パターンにしたがって前記チャネルの送信をモニタするときに１つまたは複数の他のチャネルに基づいてレート・マッチングを実施することをさらに備え、ここにおいて、前記１つまたは複数の他のチャネルは、前記決定された再送パターンにしたがって前記チャネルの送信をサポートしないレガシ・デバイスによって復号可能であるチャネルを備える、Ｃ１５に記載の方法。
［Ｃ２４］
前記決定は、前記チャネルが前記決定された再送パターンにしたがって送信されるべきことを指示する受信されたシグナリングに基づく、Ｃ１５に記載の方法。
［Ｃ２５］
前記チャネルは、物理ブロードキャスト・チャネル（ＰＢＣＨ）を備え、
前記シグナリングは、システム情報ブロック（ＳＩＢ）送信を介して提供される、Ｃ２４に記載の方法。
［Ｃ２６］
前記決定された再送パターンにしたがって前記チャネルをモニタするときに１つまたは複数の他のチャネルに基づいてレート・マッチングを実施することをさらに備える、Ｃ２４に記載の方法。
［Ｃ２７］
前記１つまたは複数の他のチャネルは、前記決定された再送パターンにしたがって前記繰り返されるチャネルの前記送信を認識しないデバイスによって復号可能であるチャネルを備える、Ｃ２６に記載の方法。
［Ｃ２８］
前記決定された再送パターンにしたがって前記チャネルの周りで１つまたは複数の他のチャネルをレート・マッチングすることをさらに備え、ここにおいて、前記１つまたは複数の他のチャネルは、前記決定された再送パターンにしたがって前記チャネルの前記送信を認識するデバイスによって復号可能であるチャネルを備える、Ｃ２４に記載の方法。
［Ｃ２９］
基地局（ＢＳ）によるワイヤレス通信のための装置であって、
チャネルが送信されるべき無線フレームのサブフレームを指示する再送パターンを決定することと、
前記決定された再送パターンにしたがって前記チャネルを送信することと、を行うように構成されている、少なくとも１つのプロセッサと、
前記少なくとも１つのプロセッサと結合されたメモリと、を備える、装置。
［Ｃ３０］
ユーザ機器（ＵＥ）によるワイヤレス通信のための装置であって、
チャネルが送信されるべき無線フレームのサブフレームを指示する再送パターンを決定することと、
前記決定された再送パターンにしたがって前記チャネルの送信をモニタすることと、を行うように構成されている、少なくとも１つのプロセッサと、
前記少なくとも１つのプロセッサと結合されたメモリと、を備える、装置。
【図１】
0006483285.tif 000002
【図２】
0006483285.tif 000003
【図３】
0006483285.tif 000004
【図４】
0006483285.tif 000005
【図５】
0006483285.tif 000006
【図６】
0006483285.tif 000007
【図７】
0006483285.tif 000008
【図８】
0006483285.tif 000009
【図９】
0006483285.tif 000010
【図１０】
0006483285.tif 000011
【図１１】
0006483285.tif 000012
【図１２】
0006483285.tif 000013